(57)【特許請求の範囲】
【請求項１】
ハウジング内に、圧縮機構と、この圧縮機構を駆動する電動機と、前記電動機を駆動制御するインバータ回路を備えたインバータ回路基板とを備え、前記電動機を収納する電動機収容部と前記インバータ回路基板を収納するインバータ収容部とが仕切壁を介して隔てられ、この仕切壁に形成された貫通孔にターミナルを固定し、前記インバータ回路にケーブルを介して接続されたインバータ側コネクタと前記電動機にケーブルを介して接続された電動機側コネクタとを前記ターミナルに接続することで前記インバータ回路を前記ターミナルを介して前記電動機に電気的に接続する電動型圧縮機において、
前記ターミナルは、本体部とこれに貫通固定された複数の端子ピンとを有して構成され、
前記本体部は、前記貫通孔に挿通されると共に前記端子ピンが気密に貫通固定された挿通部と、この挿通部に一体に形成され、前記挿通部よりも径が大きく形成されたフランジ部とを有し、
前記ターミナルは、前記貫通孔に対して前記電動機収容部側から前記挿通部を挿通させると共に前記フランジ部を前記仕切壁に係止させ、その状態を保持するように前記本体部をスナップリングで前記仕切壁に固定したことを特徴とする電動型圧縮機。
【請求項２】
ハウジング内に、圧縮機構と、この圧縮機構を駆動する電動機と、前記電動機を駆動制御するインバータ回路を備えたインバータ回路基板とを備え、前記電動機を収納する電動機収容部と前記インバータ回路基板を収納するインバータ収容部とが仕切壁を介して隔てられ、この仕切壁に形成された貫通孔にターミナルを固定し、前記インバータ回路にケーブルを介して接続されたインバータ側コネクタと前記電動機にケーブルを介して接続された電動機側コネクタとを前記ターミナルに接続することで前記インバータ回路を前記ターミナルを介して前記電動機に電気的に接続する電動型圧縮機において、
前記ターミナルは、本体部とこれに貫通固定された複数の端子ピンとを有して構成され、
前記本体部は、前記貫通孔に挿通されると共に前記端子ピンが気密に貫通固定された挿通部と、この挿通部に一体に形成され、前記挿通部よりも径が大きく形成されたフランジ部とを有し、
前記ターミナルは、前記貫通孔に対して前記電動機収容部側から前記挿通部を挿通させると共に前記フランジ部を前記仕切壁に係止させ、その状態を保持するように前記本体部を抜け防止部材で前記仕切壁に固定するものであり、
前記ターミナルの挿通部は、前記貫通孔から前記インバータ収容部に突出され、前記抜け防止部材は、前記挿通部の前記インバータ収容部に突出した部分の周囲に取り付けられていることを特徴とする電動型圧縮機。
【請求項３】
ハウジング内に、圧縮機構と、この圧縮機構を駆動する電動機と、前記電動機を駆動制御するインバータ回路を備えたインバータ回路基板とを備え、前記電動機を収納する電動機収容部と前記インバータ回路基板を収納するインバータ収容部とが仕切壁を介して隔てられ、この仕切壁に形成された貫通孔にターミナルを固定し、前記インバータ回路にケーブルを介して接続されたインバータ側コネクタと前記電動機にケーブルを介して接続された電動機側コネクタとを前記ターミナルに接続することで前記インバータ回路を前記ターミナルを介して前記電動機に電気的に接続する電動型圧縮機において、
前記ターミナルは、本体部とこれに貫通固定された複数の端子ピンとを有して構成され、
前記本体部は、前記貫通孔に挿通されると共に前記端子ピンが気密に貫通固定された挿通部と、この挿通部に一体に形成され、前記挿通部よりも径が大きく形成されたフランジ部とを有し、
前記ターミナルは、前記貫通孔に対して前記電動機収容部側から前記挿通部を挿通させると共に前記フランジ部を前記仕切壁に係止させ、その状態を保持するように前記本体部を抜け防止部材で前記仕切壁に固定するものであり、
前記抜け防止部材は、前記フランジ部の前記挿通部と反対側において前記仕切壁に取り付けられていることを特徴とする電動型圧縮機。
【請求項４】
前記抜け防止部材は、スナップリングであることを特徴とする請求項２又は３に記載の電動型圧縮機。
【請求項５】
前記本体部から前記インバータ収容部側へ突出した端子ピンは、前記インバータ回路基板に形成された通孔を貫通させて前記インバータ側コネクタに接続されることを特徴とする請求項１乃至４のいずれかに記載の電動型圧縮機。
【請求項６】
前記インバータ回路基板は、前記仕切壁と対峙する側に駆動回路モジュールが装着され、この駆動回路モジュールを前記仕切壁に螺子止めすることで位置決めされていることを特徴とする請求項１乃至５のいずれかに記載の電動型圧縮機。
【発明の詳細な説明】
【技術分野】
【０００１】
本発明は、圧縮機構と電動機とが内蔵されているハウジングにインバータ装置を搭載して構成される電動型圧縮機に関するもので、特に、電動機とインバータ装置とを電気的に接続するターミナルの搭載構造に関する。
【背景技術】
【０００２】
ハウジング内に圧縮機構と電動機とを収容した電動型圧縮機においては、電動機を駆動制御するインバータ装置が必要であり、このインバータ装置を冷媒ガス流入経路の囲壁を形成する（電動機収容部の囲壁を形成する）ハウジングの仕切壁を隔てて一体に搭載し、仕切壁に設けられたターミナルを介してインバータ装置から電動機に電力を供給する構成が考えられている。
【０００３】
このようなターミナルの構成としては、仕切壁の一箇所に３本の端子ピンを貫通固定させた本体部を取り付け、インバータ回路にケーブルを介して接続されたインバータ側コネクタと電動機のステータにケーブルを介して接続された電動機側コネクタとを前記端子ピンに相反する方向から装着することでインバータ回路とステータとを電気的に接続する構成が多用されている。
【０００４】
例えば、特許文献１に示されるように、ハウジングに形成された開口にターミナル（気密端子）を外側からＯリングと共に嵌め入れ、サークリップを開口内に形成されたサークリップ溝に外側から嵌入することで、ターミナルの外側への移動を規制するようにした構成や、特許文献２に示されるように、ターミナル（ガラス密封端子）の本体とその取付プレートとを一体形成し、この取付プレートをハウジングのボス内に外側から挿入し、スナップリングをボスの内面に穿設された溝に外側から嵌合することでターミナルを固定するようにした構成等が公知となっている。
また、下記する特許文献３に示されるように、ハウジング内に三相同期モータとスクロール式の圧縮部とを収納し、モータに対して圧縮部とは反対側に、ハウジングの仕切壁とハウジングにネジ止めされた蓋部材とによって囲まれた収容区画を形成し、この収容区画内にモータ駆動回路を配設し、仕切壁に取り付けられたターミナルの端子を、インバータ回路基板の外縁部に配置されたモータ駆動回路の各相のインバータ出力端子と直結させることでインバータ回路基板を仕切壁に固定させるようにした構成も公知となっている。
【０００５】
この公報には、ターミナルがモータ側から挿入されて鍔部を仕切壁に係止させる構成や、ターミナル端子をインバータ固定用の支持部材として用い、インバータ回路基板の外縁部の周方向に間隔を隔てて分散配置する構成も開示されている。
【先行技術文献】
【特許文献】
【０００６】
【特許文献１】特開２００７−１２８７５６号公報
【特許文献２】特開平９−５３５８７号公報
【特許文献３】特開２００２−３７１９８３号公報
【発明の概要】
【発明が解決しようとする課題】
【０００７】
しかしながら、特許文献１及び２に示される構成は、ハウジングの開口部分に、ターミナル（気密端子）を外側からＯリングと共に嵌め入れ、スナップリング（サークリップ）を開口部分に形成された溝に外側から嵌合させてターミナルを固定する構成であるので、圧縮機のようにハウジング内の圧力（内圧）が高くなる構成にあっては、ターミナルに作用する内圧をスナップリングのみで受けることとなり、従来のターミナルの固定構造では、耐久性の面で問題がある。
【０００８】
そこで、本発明は、インバータ装置と電動機との電気的な接続に必要な複数の端子ピンをまとめて貫通固定したターミナルの装着状態を改良することにより、ターミナルの仕切壁への固定状態の耐久性を確保することが可能な電動式圧縮機を提供することを主たる課題としている。
【０００９】
ところで、複数の端子ピンをまとめて貫通固定したターミナルを仕切壁に装着する構成においては、ターミナルとインバータ回路基板との干渉を避けるために、各々の設置箇所をずらして設ける場合が多い。しかしながら、ターミナルの設置箇所をインバータ回路基板の設置箇所からずらして設ける場合には、双方の設置面積を確保する必要があり、圧縮機の大型化を招くという不都合がある。
【００１０】
このような不都合を解消するために、特許文献３に示されるような、仕切壁を貫通させるターミナル端子をインバータ回路基板の周縁を支持する部材として用いる構成も考えられるが、ターミナル端子は、その構造上、ハウジングの内周面に近接させて仕切壁を貫通させにくいものであるため、ハウジングの内周面から離して仕切壁に貫通させる必要がある。このため、ターミナル端子がインバータ回路基板の周縁を支持する上述の構成にあっては、ハウジングに収容されるインバータ回路基板をハウジングの内周面から離すように小さく形成せざるを得ず、必要とするモータ駆動回路の設置面積を確保するためには、複数枚の回路基板が必要となり、特許文献３に示される構成にあっては、複数枚（２枚）の回路基板を圧縮機の軸方向に積層する構成を採用することから圧縮機の軸方向の寸法が長くなる（インバータ収容部が大きくなる）という不都合がある。
【００１１】
また、インバータ回路基板とターミナルとを別々に設置する構成においては、ハウジングへの位置決めを個別に調整できるため、取り付け精度を高める必要はないが、ターミナルの設置位置とインバータ回路基板の設置位置とを物理的にずらして設置することができない場合や、小型化の要請からターミナルの設置位置とインバータ回路基板の設置位置とをオーバラップさせたい場合には、取り付け構造が複雑となり、また、ターミナルやインバータ回路基板の厳格な位置決め管理が必要になるという不都合がある。
【００１２】
そこで、本発明においては、インバータ回路基板とターミナルのそれぞれの設置位置がオーバラップするような場合においても、インバータ収容部の増大を防いで圧縮機の小型化を図ることができ、また、ターミナルやインバータ回路基板の位置決め精度を高めることなく簡易に取り付けることが可能な電動圧縮機を提供することをも課題としている。
【課題を解決するための手段】
【００１３】
本発明は上記課題を達成するために、本発明に係る電動型圧縮機は、ハウジング内に、圧縮機構と、この圧縮機構を駆動する電動機と、前記電動機を駆動制御するインバータ回路を備えたインバータ回路基板とを備え、前記電動機を収納する電動機収容部と前記インバータ回路基板を収納するインバータ収容部とが仕切壁を介して隔てられ、この仕切壁に形成された貫通孔にターミナルを固定し、前記インバータ回路にケーブルを介して接続されたインバータ側コネクタと前記電動機にケーブルを介して接続された電動機側コネクタとを前記ターミナルに接続することで前記インバータ回路を前記ターミナルを介して前記電動機に電気的に接続する構成において、前記ターミナルは、本体部とこれに貫通固定された複数の端子ピンとを有して構成され、前記本体部は、前記貫通孔に挿通されると共に前記端子ピンが気密に貫通固定された挿通部と、この挿通部に一体に形成され、前記挿通部よりも径が大きく形成されたフランジ部とを有し、前記ターミナルは、前記貫通孔に対して前記電動機収容部側から前記挿通部を挿通させると共に前記フランジ部を前記仕切壁に係止させ、その状態を保持するように前記本体部を抜け防止部材で前記仕切壁に固定したことを特徴としている。
【００１４】
したがって、このような構成においては、複数の端子ピンを本体部に貫通固定したターミナルを、貫通孔に対して電動機収容部側から係止させ、その状態を保つようにターミナルの本体部を抜け防止部材で仕切壁に固定するようにしたので、ターミナルがハウジングの内圧（電動機収容部内の圧力）を受ける場合においても、本体部のフランジ部が仕切壁に係止されているので、このフランジ部によって内圧を受けることが可能となり、抜け防止部材にかかる負荷を小さくすることが可能となる。このため、抜け防止部材に過剰な負荷がかかることがないため、ターミナルの仕切壁への固定状態の耐久性を高めることが可能となる。
【００１５】
尚、抜け防止部材としては、スナップリングなどで代表されるものを用い、ターミナルの挿通部を貫通孔からインバータ収容部に突出させ、抜け防止部材を前記挿通部のインバータ収容部に突出した部分の周囲に取り付ける構成や、抜け防止部材をフランジ部の挿通部と反対側において前記仕切壁に取り付ける構成等が考えられる。
【００１６】
前者の構成によれば、ターミナルの本体部の外周に抜け防止部材が取り付けられるので、本体部の加工と同時に抜け防止部材の取り付け溝を加工することが可能であり、加工作業が容易となる。また、ターミナルの本体部の外周に抜け防止部材が取り付けられるので、組み付け作業も容易となり、組み付け時の作業性が良好となる。また、後者の構成によれば、ターミナルの挿入孔への挿入と、抜け防止部材の取り付けが同一方向から行えるので、組み付け作業が容易となり、組み付け時の作業性が良好となる。
【００１７】
さらに、以上の構成において、本体部からインバータ収容部側へ突出した端子ピンは、インバータ回路基板に形成された通孔を貫通させてインバータ側コネクタに接続させるようにするとよい。
このような構成においては、ターミナルの取り付け箇所とインバータ回路基板の取り付け箇所とのオーバラップを許容しつつ、互いの干渉を避けることが可能となり、また、インバータ回路基板の外縁部をハウジングの内周面に沿って大きく設けることが可能となり、基板を複数枚設ける必要がなくなるので、圧縮機の軸方向及び径方向の寸法を短くすることが可能となる。また、ターミナルとインバータ回路基板との取り付けを独立に行うことが可能となるので、位置決め精度を高める必要もなくなる。
【００１８】
尚、インバータ回路基板は、仕切壁と対峙する側に駆動回路モジュールが配設される構成においては、この駆動回路モジュールを前記仕切壁に螺子止めすることで位置するようにしてもよい。
【発明の効果】
【００１９】
以上述べたように、本発明によれば、ターミナルを本体部とこれに貫通固定された端子ピンとを有して構成し、本体部を、貫通孔に挿入されると共に複数の端子ピンが気密に貫通固定された挿通部と、この挿通部に一体に形成され、貫通孔よりも径が大きく形成されたフランジ部とを有し、ターミナルは、貫通孔に対して電動機収容部側から挿通部を挿入させて仕切壁にフランジ部を係止させ、その状態を保持するようにターミナルの本体部を抜け防止部材で仕切壁に固定するようにしたので、ターミナルに対して電動機収容部からの内圧が作用する方向と抜け止めを図る方向とが一致することとなり、フランジ部によって電動機収容部の内圧を受けることが可能となる。このため、抜け防止部材にかかる負荷を小さくすることが可能となり、抜け防止部材に過剰な負荷が集中することがなくなり、ターミナルの仕切壁への固定構造の耐久性を高めることが可能となる。
【００２０】
また、ターミナルの端子ピンをインバータ回路基板に形成された通孔を貫通させてインバータ側コネクタに接続させる構成とすることで、ターミナルの設置位置とインバータ回路基板の設置位置とがオーバラップする場合でも、互いに干渉することなく取り付けることが可能となる。このため、ターミナルをインバータ回路基板の設置位置からずらして設置する必要がなくなり、また、インバータ回路基板をハウジングの内周面に沿って大きく形成することが可能となるので、インバータ回路基板を複数枚設ける必要がなくなり、圧縮機の軸方向又は径方向の寸法を小さくして小型化を図ることが可能となる。
【００２１】
さらに、ターミナルの端子ピンをインバータ回路基板の通孔に貫通させてインバータ側コネクタに接続することで、ターミナルの位置決めとインバータ回路基板の位置決めとを別々に調整することができるので、ターミナルやインバータ回路基板の位置決め精度を高めることが不要となる。
【図面の簡単な説明】
【００２２】
【図１】図１は、本発明に係る電動型圧縮機の全体構成を示す断面図である。
【図２】図２（ａ）は、電動機収容部とインバータ収容部とを仕切る仕切壁をインバータ収容部側から見た図であり、図２（ｂ）は、インバータ収容部に収容されるインバータ回路基板を示す図である。
【図３】図３は、図１のターミナル装着付近を示す拡大断面図である。
【発明を実施するための形態】
【００２３】
以下、本発明の電動型圧縮機について、図面を参照しながら説明する。
【００２４】
図１において、冷媒を作動流体とする冷凍サイクルに適した電動型圧縮機１が示されている。この電動型圧縮機１は、アルミ合金で構成されたハウジング２内に、図中左方において圧縮機構３を配設し、また、図中右側において圧縮機構を駆動する電動機４を配設している。尚、図１において、図中右側を圧縮機の前方、図中左側を圧縮機の後方としている。
【００２５】
ハウジング２は、圧縮機構３を収容する圧縮機構収容ハウジング部材２ａと、圧縮機構３を駆動する電動機４を収容する電動機収容ハウジング部材２ｂと、電動機４を駆動制御するインバータ装置５を収容するインバータ収容ハウジング部材２ｃとを有し、これらハウジング部材を位置決めピン７により位置決めすると共に締結ボルト８で軸方向に締結するようにしている。
【００２６】
電動機収容ハウジング部材２ｂの圧縮機構収容ハウジング部材２ａと対峙する側には、軸支部９ａが一体に形成された仕切壁４９が設けられ、また、インバータ収容ハウジング部材２ｃの電動機収容ハウジング部材２ｂと対峙する側にも軸支部９ｂが一体に形成された仕切壁５０が設けられ、これら仕切壁４９，５０の軸支部９ａ，９ｂに駆動軸１０がベアリング１１，１２を介して回転可能に支持されている。この電動機収容ハウジング部材２ｂとインバータ収容ハウジング部材２ｃとに形成されたそれぞれの仕切壁４９，５０によりハウジング２の内部が後方から圧縮機構３を収納する圧縮機構収容部１３ａ、電動機４を収納する電動機収容部１３ｂ、及びインバータ装置５を収容するインバータ収容部１３ｃに仕切られている。
尚、この例では、インバータ回路基板５２を収容するインバータ収容部１３ｃは、インバータ収容ハウジング部材２ｃに蓋体１４をボルト３０によって固定することで画成されている。
【００２７】
圧縮機構３は、固定スクロール部材１５とこれに対向配置された旋回スクロール部材１６とを有するスクロールタイプのもので、固定スクロール部材１５は、ハウジング２の後部内側において固定された円板状の端板１５ａと、この端板１５ａの外縁に沿って全周に亘って設けられると共に前方に向かって立設された円筒状の外周壁１５ｂと、その外周壁１５ｂの内側において前記端板１５ａから前方に向かって延設された渦巻状の渦巻壁１５ｃとから構成されている。
【００２８】
また、旋回スクロール部材１６は、円板状の端板１６ａと、この端板１６ａから後方に向かって立設された渦巻状の渦巻壁１６ｃとから構成され、端板１６ａの背面に立設されたボス部１６ｂに、駆動軸１０の後端部に設けられると共に駆動軸１０の軸心に対して偏心して設けられた偏心軸１０ａがブッシュ１７及びベアリング１８を介して連結され、駆動軸１０の軸心を中心として公転運動可能に支持されている。
【００２９】
固定スクロール部材１５と旋回スクロール部材１６とは、それぞれの渦巻壁１５ｃ、１６ｃをもって互いに噛み合わされており、それぞれのスクロール部材１５，１６の渦巻壁１５ｃ，１６ｃの先端が相手のスクロール部材の端板１５ａ，１６ａに当接されており、したがって、固定スクロール部材１５の端板１５ａ及び渦巻壁１５ｃと、旋回スクロール部材１６の端板１６ａ及び渦巻壁１６ｃとによって囲まれた空間に圧縮室１９が画成されている。
【００３０】
また、固定スクロール部材１５の外周壁１５ｂと仕切壁４９との間には、薄板状の環状のスラストレース２０が挟持され、固定スクロール部材１５と仕切壁４９とは、このスラストレース２０を介して突き合わされている。
【００３１】
スラストレース２０は、耐摩耗性に優れる素材で形成されているもので、中央には、旋回スクロール部材１６のボス部１６ｂや後述するオルダムリング２４が貫挿する中央孔が形成されている。また、固定スクロール部材１５、スラストレース２０、及び電動機収容ハウジング部材２ｂは、スラストレース２０に形成されたピン挿通孔に挿通される位置決めピン３３により、位置決め固定されている。
【００３２】
電動機収容ハウジング部材２ｂの仕切壁４９に一体に形成された軸支部９ａは、中央に貫通孔を有し、その内面がスラストレース２０に向かって径を段階的に大きく形成されているもので、スラストレース２０から最も離れた前方側から、ベアリング１１が収容されるベアリング部収容部２１、前記ブッシュ１７と一体をなして駆動軸１０の回転に伴って回転するバランスウエイト２２を収容するウエイト収容部２３、仕切壁４９の端面から形成されて旋回スクロール部材１６との間で旋回スクロール部材１６の自転を防止するオルダムリング２４を収容するオルダム収容部２５が形成されている。
【００３３】
したがって、旋回スクロール部材１６は、駆動軸１０の回転により自転力が発生するが、オルダムリング２４により自転が規制されつつ駆動軸１０の軸心に対して公転運動するようになっている。
【００３４】
前述した固定スクロール部材１５の外周壁１５ｂと旋回スクロール部材１６の渦巻壁１６ｃの最外周部との間には、後述する吸入口４０から導入された冷媒を吸入経路４１を介して吸入する吸入室２６が形成され、また、ハウジング内の固定スクロール部材１５の背後には、圧縮室１９で圧縮された冷媒ガスが固定スクロール部材１５の略中央に形成された吐出孔２７を介して吐出される吐出室２８が圧縮機構収容ハウジング部材２ａの後端壁との間に画成されている。この吐出室２８に吐出された冷媒ガスは、吐出口２９を介して外部冷媒回路へ圧送されるようになっている。
【００３５】
これに対して、ハウジング２内の仕切壁４９より前方の部分に形成された電動機収容部１３ｂには、電動機４を構成するステータ３１とロータ３２とが設けられている。ステータ３１は、円筒状をなす鉄心３４とこれに巻回されたコイル３５とで構成され、ハウジング２（電動機収容ハウジング部材２ｂ）の内面に固定されている。また、駆動軸１０には、ステータ３１の内側において回転可能に収容されたマグネットからなるロータ３２が固装され、このロータ３２が、ステータ３１によって形成される回転磁力により回転され、駆動軸１０を回転するようになっている。これらステータ３１やロータ３２によって、ブラシレスＤＣモータからなる電動機４が構成されている。
【００３６】
そして、ハウジング２（電動機収容ハウジング部材２ｂ）の側面には、電動機収容部１３ｂに冷媒ガスを吸入する吸入口４０が形成され、ステータ３１とハウジング２（電動機収容ハウジング部材２ｂ）との間の隙間や、仕切壁４９に形成された孔、及び固定スクロール部材１５とハウジング２との間に形成される隙間を介して、吸入口４０から電動機収容部１３ｂに流入した冷媒を前記吸入室２６に導く吸入経路４１が構成されている。
【００３７】
インバータ装置５は、図２にも示されるように、インバータ回路５１を搭載したインバータ回路基板５２をインバータ収容ハウジング部材２ｃの内周壁に沿って（インバータ収容ハウジング部材２ｃの電動機収容ハウジング部材２ｂと対峙する端面に形成されて軸支部９ｂが一体に形成された仕切壁５０の周縁に）間隔を空けて形成されたボス部５３にネジ５４で固定して構成されているもので、外部から供給される直流電力を多相交流電力に変換して電動機４に供給すると共に、外部からの制御信号に基づき、電動機４の回転速度を制御するようにしている。インバータ回路基板５２の裏面、即ち、仕切壁５０と対峙される面には、インバータ回路５１のスイッチング素子をモジュール化した駆動回路モジュール５５が固定されている。この駆動回路モジュール５５は、発熱素子が集積されているため、仕切壁５０に形成された平坦な設置面５６にシリコングリス等の熱伝導材を介して密着され、その状態が保持されるようにインバータ回路基板５２に形成されたネジ貫通孔５７を介して挿通されたネジ５８により仕切壁５０に固定され、吸入経路４１を流れる冷媒によって仕切壁５０を介して冷却するようにしている。
【００３８】
また、仕切壁５０には、図３にも示されるように、ターミナル（気密端子）６０を取り付けるための貫通孔６１が形成されている。この貫通孔６１は、電動機収容部１３ｂに臨む側から形成された大径壁部６１ａと、この大径壁部６１ａに続いて形成され、インバータ収容部１３ｃに臨む側で径が相対的に小さく形成された小径壁部６１ｂと、大径壁部６１ａと小径壁部６１ｂとの境界部分に形成された段部６１ｃとを備え、この段部６１ｃには、Ｏリング６２を嵌め入れる環状段差部６１ｄが形成されている。
【００３９】
ターミナル（気密端子）６０は、硬質部材で形成された本体部６３と、この本体部６３に貫通固定された複数（３本）の端子ピン６４とを有して構成されているもので、本体部６３は、貫通孔６１に挿入されると共に前記端子ピン６４が底部６３ａ−１に気密に貫通固定される有底筒状の挿通部６３ａと、この挿通部６３ａの開口部から径方向外側に一体に延設され、小径壁部６１ｂよりも径が大きく形成され、且つ、大径壁部６１ａよりも径が小さく形成されて、段部６１ｃに係止可能なフランジ部６３ｂとを有して構成されている。
【００４０】
端子ピン６４は、挿通部６３ａの底部６３ａ−１に形成されたピン挿通孔６６にガラスシール部材６７を介して絶縁かつ気密にシールされた状態で固定されているもので、底部６３ａ−１に対して略垂直に両側へ延びるように取り付けられている。ピン挿通孔６６やこれに固定される端子ピン６４は、正面視において正三角形となるように配置され、この例においては、端子ピン６４のガラスシール部材６７の両側に、絶縁距離を確保するセラミックスからなる絶縁部材６８が固定されている。
【００４１】
そして、このようなターミナル６０は、貫通孔６１に対して電動機収容部側からＯリング６２からなるシール部材と共に挿入され、Ｏリング６２を環状段差部６１ｄに嵌入すると共に挿通部６３ａをインバータ収容部１３ｃに突出させ、貫通孔６１に形成された段部６１ｃにフランジ部６３ｂを係止させ、その状態を保持するように本体部６３（挿通部６３ａ）のインバータ収容部１３ｃに突出させた先端近傍に形成されたリング溝７０にスナップリング（抜け防止部材）７１を装着することで仕切壁５０に固定するようにしている。したがって、貫通孔６１は、このターミナル６０により気密に封止されるようになっている。
【００４２】
前記インバータ回路基板には、前記ターミナル６０の設置箇所と対峙する部分に複数（３つ）の端子ピンを接触させることなく貫通させることができる程度の通孔７２が形成されている。また、インバータ回路５１には、ケーブル７３を介してインバータ側コネクタ７４が蓋体１４と対峙する側（仕切壁５０と対峙する側とは反対側）に接続され、また、電動機４のステータ３１にも、ケーブル７５を介して電動機側コネクタ７６が接続されている。
【００４３】
そして、インバータ回路５１にケーブル７３を介して接続されたインバータ側コネクタ７４は、インバータ回路基板５２の通孔７２から突出したターミナル（気密端子）６０の端子ピン６４に前方側（インバータ回路基板５２の仕切壁５０と対峙する側とは反対側）から装着され、また、ステータ３１にケーブル７５を介して接続された電動機側コネクタ７６は、端子ピン６４に後方側（電動機収容部１３ｂの内側）から装着され、インバータ回路５１とステータ３１とをターミナル６０を介して電気的に接続し、電動機４に対してインバータ装置５から給電するようにしている。
【００４４】
したがって、電動機４への給電により、ロータ３２が回転して駆動軸１０が回転すると、圧縮機構３において、旋回スクロール部材１６が偏心軸１０ａを中心として回転されるので、旋回スクロール部材１６は、固定スクロール部材１５の軸心の周りを公転する。この際、旋回スクロール部材１６は、オルダムリング２４からなる自転阻止機構によって自転が阻止されているので、公転運動のみが許容される。
【００４５】
この旋回スクロール部材１６の公転運動により、圧縮室１９は両スクロール部材の渦巻壁１５ｃ、１６ｃの外周側から中心側へ容積を徐々に小さくしつつ移動するので、吸入室２６から圧縮室１９に吸入された冷媒ガスは圧縮され、この圧縮された冷媒ガスは固定スクロール部材１５の端板１５ａに形成された吐出孔２７を介して吐出室２８に吐出する。そして、吐出口２９を介して外部冷媒回路へ送出される。
【００４６】
以上の構成において、ターミナル６０及びインバータ回路基板５２をハウジング２（インバータ収容ハウジング部材２ｃ）に取り付けるには、インバータ収容ハウジング部材２ｃにインバータ回路基板５２に取り付ける前、及び、インバータ収容ハウジング部材２ｃを電動機収容ハウジング部材２ｂに組み付ける前に、ターミナル６０の本体部６３の挿通部６３ａの外周にＯリングを取り付け、その状態でターミナル６０を仕切壁５０の貫通孔６１に電動機収容部側からターミナル６０の本体部６３の挿通部６３ａを挿入し、Ｏリング６２を環状段差部６１ｄに嵌め入れると共に挿通部６３ａをインバータ収容部に突出させ、フランジ部６３ｂを段部６１ｃに当接させて、フランジ部６３ｂを仕切壁５０に係止させる。そして、その状態が保持されるように、貫通孔６１からインバータ収容部側へ突出した挿通部６３ａの先端近傍に設けられているリング溝７０にスナップリング７１を嵌め付け、ターミナル６０をフランジ部６３ｂとスナップリング７１とで小径壁部６１ｂを挟み込むようにして仕切壁５０に固定する。
【００４７】
しかる後に、インバータ回路基板５２をインバータ収容ハウジング部材２ｃに取り付け、また、インバータ収容ハウジング部材２ｃを電動機収容ハウジング部材２ｂに組み付ける作業を行う。この組み付け作業の順序は、特に限定されるものではないが、例えば、インバータ収容ハウジング部材２ｃにインバータ回路基板５２を組み付ける作業と、電動機収容ハウジング部材２ｂにステータ３１やロータ３２を組み付ける作業とが別々に行われる場合には、インバータ回路基板５２を駆動回路モジュール５５が仕切壁５０と対峙するようにしつつ、通孔７２にターミナル６０の端子ピン６４を挿通させると共に、駆動回路モジュール５５を仕切壁５０の設置面５６に当接させる。そして、インバータ回路基板５２の位置を微調整しつつ駆動回路モジュール５５のネジ孔（インバータ回路基板５２に形成されたネジ貫通孔５７）の位置を仕切壁５０の設置面５６に形成されたネジ穴５６ａの位置と合致させ、ネジ貫通孔５７を介してネジ５８を挿通させて駆動回路モジュール５５を仕切壁５０にネジ留めする。
【００４８】
この駆動回路モジュール５５のネジ留めにより、インバータ回路基板５２は、その設置位置が凡そ決定されるが、周縁に形成されたネジ孔５９を介してボス部５３にネジ５４にてネジ留めすることでインバータ収容ハウジング部材２ｃに固定される。
その後に、インバータ回路基板５２の通孔７２から突出したターミナル６０の端子ピン６４にインバータ側コネクタ７４を取り付け、インバータ回路基板５２をターミナル６０の本体部６３とインバータ側コネクタ７４との間に配設されるようにする（この例では、インバータ回路基板５２がターミナル６０の本体部６３やインバータ側コネクタ７４と接触しないように配設される）。
【００４９】
そして、以上のようにインバータ回路基板５２をインバータ収容ハウジング部材２ｃに取り付けると共に、インバータ側コネクタ７４をターミナル６０の端子ピン６４に取り付け、また、インバータ収容ハウジング部材２ｃに蓋体１４を取り付けてインバータ側を完成させた後に、インバータ収容ハウジング部材２ｃを電動機収容ハウジング部材２ｂに近づけ、電動機側コネクタ７６を電動機収容部側からターミナル６０の端子ピン６４に取り付け、しかる後にインバータ収容ハウジング部材２ｃを電動機収容ハウジング部材２ｂに締結ボルト８にて締結して固定する。
【００５０】
尚、上述した組み付け工程は、これに限定されるものではなく、上述した工程とは逆に、インバータ収容ハウジング部材２ｃを電動機収容ハウジング部材２ｂに近づけて、電動機側コネクタ７６を電動機収容部側からターミナル６０の端子ピン６４に取り付け、しかる後にインバータ収容ハウジング部材２ｃを電動機収容ハウジング部材２ｂに締結ボルト８にて締結し、その後、インバータ回路基板５２を、駆動回路モジュール５５が仕切壁５０と対峙するようにしつつ、通孔７２にターミナル６０の端子ピン６４を挿通させ、駆動回路モジュール５５をネジ貫通孔５７を介して挿通させたネジ５８によって仕切壁５０にネジ留めし、また、インバータ回路基板５２を、周縁に形成されたネジ孔５９を介してネジ５４によってボス部５３にネジ留めし、しかる後に、インバータ回路基板５２の通孔７２から突出したターミナル６０の端子ピン６４にインバータ側コネクタ７４を取り付け、インバータ回路基板５２をターミナル６０の本体部６３とインバータ側コネクタ７４との間に配設されるようにしてもよい。
また、以上の各組み付け工程は、必要に応じて適宜入れ替えるようにしてよい。
【００５１】
したがって、以上の構成によれば、圧力が高い電動機収容部１３ｂの側からターミナル６０を嵌め込み、そのフランジ部６３ｂを仕切壁５０に形成された段部６１ｃに係止させるようにしたので、ターミナル６０に圧力が作用する方向と抜け止めを図る方向とが一致することとなり、フランジ部によって電動機収容部の内圧を受けることが可能となる。このため、スナップリング７１に過剰に負荷が集中することがなくなり、ターミナル６０の固定構造の耐久性を高めることが可能となる。
【００５２】
また、上述の構成においては、ターミナル６０の本体部６３の外周にスナップリング７１を取り付ける構成であるので、スナップリング７１の組み付け時の作業性がよくなり、また、本体部６３の加工と同時にスナップリング７１を取り付けるリング溝７０も加工することが可能となり、本体部６３の加工作業を効率的に行うことが可能となる。
【００５３】
なお、スナップリング７１と小径壁部６１ｂの間に隙間を設けるようにしてもよい。このような構成とすることで、リング溝７０にスナップリング７１を嵌め付ける際の作業性を一層良くすることが可能となる。
【００５４】
また、ターミナル６０の端子ピン６４をインバータ回路基板５２の通孔７２に貫通させ、インバータ側コネクタ７４と接続するようにしたので、ターミナル６０の取り付け箇所とインバータ回路基板５２の取り付け箇所とをオーバラップさせつつ、互いの干渉を避けることが可能となり、ターミナル６０をインバータ回路基板５２の設置位置からずらして設置する必要がなくなり、圧縮機の径方向の大型化を避けることが可能となる。
【００５５】
しかも、ターミナル６０の取り付け箇所とインバータ回路基板５２の取り付け箇所とを互いの干渉を避けつつオーバラップさせるようにしたので、インバータ回路基板５２を、その外縁部がインバータ収容ハウジング部材２ｃの内周面に近接するまで大きく形成してインバータ回路５１の搭載領域を大きく確保することが可能となる。このため、インバータ回路基板５２を複数枚設ける必要がなくなるので、圧縮機の軸方向又は径方向の寸法を短くすることが可能となる。
【００５６】
さらに、インバータ回路基板５２は、仕切壁５０と対峙する側に駆動回路モジュール５５が装着され、この駆動回路モジュール５５を仕切壁５０に螺子止めすることで位置決めされ、しかもボス部５３にネジ留めすることでインバータ収容ハウジング部材２ｃに固定されるが、ターミナル６０の端子ピン６４はインバータ回路基板５２の通孔７２に余裕をもって貫通してインバータ側コネクタ７４に接続されているので、ターミナル６０とインバータ回路基板５２とを別々に位置決めすることが可能となり、ターミナル６０やインバータ回路基板５２の位置決め精度を高める必要がなくなる。
【００５７】
尚、上述の構成においては、スナップリング７１を貫通孔６１から突出した本体部６３（挿通部６３ａ）の先端近傍に取り付けてターミナル６０を仕切壁５０に固定する例を示したが、本体部６３のフランジ部６３ｂの後方側、即ち、フランジ部６３ｂの挿通部６３ａとは反対側において仕切壁５０にリング溝７０’を形成し、このリング溝７０’にスナップリング７１’を嵌入してターミナル６０を仕切壁５０に固定するようにしてもよい。
このような構成によれば、ターミナル６０の挿入孔への挿入と、スナップリング７１’の取り付けが、同一方向からの作業となるので、組み付け作業がし易いものとなり、組み付け時の良好な作業性を確保することが可能となる。
【符号の説明】
【００５８】
１  電動型圧縮機
２  ハウジング
３  圧縮機構
４  電動機
１３ｂ  電動機収容部
１３ｃ  インバータ収容部
４９，５０  仕切壁
５１  インバータ回路
５２  インバータ回路基板
５５  駆動回路モジュール
６０  ターミナル
６１  貫通孔
６３  本体部
６３ａ  挿通部
６３ｂ  フランジ部
６４  端子ピン
７１，７１’スナップリング
７２  通孔
７３，７５  ケーブル
７４  インバータ側コネクタ
７６  電動機側コネクタ
【図１】
0005594836.tif 000002
【図２】
0005594836.tif 000003
【図３】
0005594836.tif 000004